(57)【要約】【課題】多品種の物品が多数かつ頻繁に出し入れされる業務において在庫と入出庫の履歴を容易に管理することができる物品管理庫を提供する。【解決手段】物品管理庫は、外壁１０と、ドア１１と、ドア１１が開いている場合にＯＦＦを、ドア１１が閉じている場合にＯＮを、出力するドアセンサー２２１と、ドア１１の施錠／開錠を行うドアロック２２２と、外壁１０及びドア１１の内部に設けられるアンテナ２０２を有し、内部に収納されている無線タグ１００を読み取り、読み取った情報を出力する無線タグリーダライタ（リーダライタ２００）と、ドアセンサー２２１の出力がＯＦＦからＯＮに変化したと判定した場合、ドアロック２２２を施錠し、無線タグリーダライタに無線タグ１００の読み取りを指示し、読み取った情報と予め入力された在庫予定データとが合致する場合、在庫データの更新を許可する制御部３０１を有する管理コンピュータと、を備える。【選択図】図１
2018035501.tif 000002
【特許請求の範囲】
【請求項１】
外壁と、
ドアと、
前記ドアが開いている場合にＯＦＦを、前記ドアが閉じている場合にＯＮを、出力するドアセンサーと、
前記ドアの施錠／開錠を行うドアロックと、
前記外壁及び前記ドアによって区画される空間の内部に設けられるアンテナを有し、前記空間の内部に収納されている無線タグを読み取り、読み取った情報を出力するリーダライタと、
前記ドアセンサーの出力がＯＦＦからＯＮに変化したと判定した場合、前記ドアロックを施錠し、前記リーダライタに前記無線タグの読み取りを指示し、読み取った情報と予め入力された在庫予定データとが合致する場合、在庫データの更新を許可する制御部を有する管理コンピュータと、
を備える物品管理庫。
【請求項２】
前記制御部は、
前記ドアセンサーの出力がＯＦＦからＯＮに変化したと判定した場合、前記ドアロックを施錠し、前記リーダライタに前記無線タグの読み取りを指示し、読み取った情報と予め入力された出庫予定データとが合致する場合、在庫データの更新を許可する請求項１に記載の物品管理庫。
【請求項３】
前記制御部は、
前記ドアセンサーの出力がＯＦＦからＯＮに変化したと判定した場合、前記ドアロックを施錠し、前記リーダライタに前記無線タグの読み取りを指示し、読み取った情報と予め入力された返却データとが合致する場合、在庫データの更新を許可する請求項１又は請求項２に記載の物品管理庫。
【請求項４】
請求項１から請求項３までのいずれか１項に記載の物品管理庫と、
前記管理コンピュータに接続され、前記制御部の指示に基づいて前記無線タグを有する無線タグラベルにバーコードを含む情報を印刷し、前記無線タグに情報を書き込む無線タグプリンタと、
を備える物品管理システム。
【請求項５】
請求項３に記載の物品管理庫と、
前記管理コンピュータに接続され、前記制御部の指示に基づいて前記無線タグを有する無線タグラベルにバーコードを含む情報を印刷し、前記無線タグに情報を書き込む無線タグプリンタと、
前記バーコードを読込むバーコードリーダと、
を備え、
前記制御部は、
前記バーコードリーダによって読み取った前記バーコードに基づいて前記返却データを生成する物品管理システム。
【請求項６】
生体認証装置をさらに備え、
前記制御部は、
前記生体認証装置の出力に基づいて認証が成功したと判定した場合、前記ドアロックを開錠させる請求項４又は請求項５に記載の物品管理システム。
【発明の詳細な説明】
【技術分野】
【０００１】
本発明は、物品管理庫及び物品管理システムに関するものである。
【背景技術】
【０００２】
劇物や毒物、特に医療行為に使用する麻薬などの物品は、専用の管理庫に格納され、その在庫量が出し入れの数量とともに管理される必要がある。
【０００３】
従来、この在庫管理は担当者が紙に記録する方法によって行われていたため、管理作業が煩わしいものであるだけでなく、記録の誤りが発生する可能性が高かった。
【０００４】
この点に関し、管理する物品の一つ一つに無線タグを貼付し、電子秤量秤と、無線タグリーダライタと、を内部に備える管理庫の電子秤量秤の上に物品を載置して格納し、物品の重さと物品の存否とを同時に記録する電子秤量秤が提案されている（例えば、特許文献１。）。
【０００５】
しかし、この技術はある定まった種類の物品を少量ずつ量りだして使用することを前提としており、多品種の物品が多数かつ頻繁に出し入れされる業務において在庫と入出庫の履歴を管理することには使用しにくい。
【先行技術文献】
【特許文献】
【０００６】
【特許文献１】特許第３５９８３４１号公報
【発明の概要】
【発明が解決しようとする課題】
【０００７】
本発明は、多品種の物品が多数かつ頻繁に出し入れされる業務において在庫と入出庫の履歴を容易に、かつ、スピーディーに管理することができる物品管理庫を提供することを課題とする。
【課題を解決するための手段】
【０００８】
前記課題を解決するため、本発明の物品管理庫は、外壁と、ドアと、前記ドアが開いている場合にＯＦＦを、前記ドアが閉じている場合にＯＮを、出力するドアセンサーと、前記ドアの施錠／開錠を行うドアロックと、前記外壁及び前記ドアによって区画される空間の内部に設けられるアンテナを有し、前記空間の内部に収納されている無線タグを読み取り、読み取った情報を出力するリーダライタと、前記ドアセンサーの出力がＯＦＦからＯＮに変化したと判定した場合、前記ドアロックを施錠し、前記リーダライタに前記無線タグの読み取りを指示し、読み取った情報と予め入力された在庫予定データとが合致する場合、在庫データの更新を許可する制御部を有する管理コンピュータと、を備える。
【発明の効果】
【０００９】
本発明によれば、多品種の物品が多数かつ頻繁に出し入れされる業務において在庫と入出庫の履歴を容易に管理することができる物品管理庫を提供することができる。
【図面の簡単な説明】
【００１０】
【図１】物品管理庫を含む物品管理システムの構成を示す図。
【図２】在庫管理ファイルのデータ構成を示す図。
【図３】入庫予定ファイルのデータ構成を示す図。
【図４】出庫予定ファイルのデータ構成を示す図。
【図５】物品管理庫の外観斜視図である。
【図６】無線タグと、無線タグリーダライタの構成例を示すブロック図。
【図７】制御部によるメインプロセスの動作を示すフローチャート。
【図８】制御部による入庫処理動作を示すフローチャート。
【図９】制御部による出庫処理動作を示すフローチャート。
【図１０】制御部による返却処理動作を示すフローチャート
【図１１】入庫処理画面の例を示す図
【図１２】出庫処理画面の例を示す図
【図１３】返却処理画面の例を示す図
【発明を実施するための形態】
【００１１】
以下、本発明の実施形態の一例にかかる物品管理庫及び物品管理システムを、図面を参照しながら説明する。
【００１２】
ここで、無線タグは、無線通信可能な記憶媒体を意味し、ＩＣタグ、あるいはＲＦＩＤ（Radio Frequency Identification）と呼ばれることもある。無線タグリーダライタ（以下、リーダライタ２００という。）は、無線タグと通信する装置を言い、無線タグへの情報の書き込み又は無線タグからの情報の読み出し、或いは無線タグへの情報の書き込みと読み出しの両方を行う装置である。
【００１３】
図１は、本実施形態の物品管理庫（以下、管理庫１という。）を含む物品管理システムの構成を示す図である。図１に示すように、物品管理システムは、管理庫１と、管理コンピュータ（以下、管理ＰＣ３００という。）と、無線タグプリンタ４１０と、バーコードリーダ４２０と、生体認証装置４３０と、を備える。生体認証装置４３０は、例えば指紋認証装置、静脈認証装置、光彩認証装置、又は声紋認証装置などを用いることができる。
【００１４】
管理ＰＣ３００は、演算装置であるＣＰＵ（central processing unit）を含む制御部３０１と、キーボード、ディスプレイ、マウスなどの入出力装置を含む入出力部３０２と、外部装置と通信を行う通信部３０３と、メモリ、ハードディスクドライブなどの記憶装置を含む記憶部３０４と、を備える。
【００１５】
記憶部３０４は、在庫ファイル３０４Ａと、入庫予定ファイル３０４Ｂと、出庫予定ファイル３０４Ｃと、を記憶する。
【００１６】
また、記憶部３０４は、在庫管理プログラムを格納し、制御部３０１は記憶部３０４から在庫管理プログラムを順次読みだして実行する。
【００１７】
無線タグプリンタ４１０は、通信部３０３を介して制御部３０１に接続される。無線タグプリンタ４１０は、管理ＰＣ３００の指示に基づいて無線タグ１００が貼付されたラベルである無線タグラベル４５１にバーコードを含む所定の情報を印刷し、無線タグ１００に製品コードなどの物品に関する情報と、無線タグＩＤと、を書き込む。
【００１８】
ユーザは印刷され、無線タグ１００に情報が書き込まれた無線タグラベル４５１を物品４５２に１枚ずつ貼付する。
【００１９】
管理庫１は、いわゆる金庫のように、堅牢な金属の外壁１０とドア１１を有する。管理庫１は、リーダライタ２００と、ドアセンサー２２１と、ドアロック２２２と、を備える。
【００２０】
リーダライタ２００は、管理庫１の内部にあっても外部にあってもよいが、リーダライタ２００のアンテナ２０２は管理庫１の外壁１０及びドア１１によって区画される空間の内部に設置される。リーダライタ２００は、外壁１０及びドア１１によって区画される空間の内部に収納される無線タグ１００を読み取り、及び書き込みをする。
【００２１】
ドアセンサー２２１は、管理庫１のドア１１が開いている場合にＯＦＦを、管理庫１のドア１１が閉じている場合にＯＮを、制御部３０１に出力する。制御部３０１は、ドアセンサー２２１の信号がＯＦＦからＯＮに変わったことを検知した場合、ドアロック２２２の施錠と、リーダライタ２００に無線タグ１００の読み取りを指示する。
【００２２】
ドアロック２２２は、制御部３０１の指示に基づいて管理庫１のドア１１の施錠と開錠とを行う。
【００２３】
管理庫１は内部に無線タグラベル４５１が貼付された物品４５２を収納する。
【００２４】
バーコードリーダ４２０は、通信部３０３を介して制御部３０１に接続される。バーコードリーダ４２０は、無線タグラベル４５１に印刷されたバーコードを読込み、デコードして制御部３０１に出力する。
【００２５】
生体認証装置４３０は、通信部３０３を介して制御部３０１に接続される。生体認証装置４３０は、ユーザの指の静脈パターンを読込み、予め記憶しているユーザの指の静脈パターンと比較し、一致する場合に認証成功を、一致しない場合に認証失敗を制御部３０１に出力する。
【００２６】
図２は、在庫ファイル３０４Ａのデータ構成を示す図である。図２に示すように、在庫ファイル３０４Ａは、製品の種類ごとに固有に割り当てられる識別子である製品コードと、日時の情報を含み、入出力処理ごとに固有に割り当てられる識別子であるバッチコードと、任意に割り当てられるコードである管理コードと、無線タグに固有に割り当てられる識別子である無線タグＩＤと、例えば入庫中、出庫中などの物品の処理の状態を示すプロセスコードと、オペレータに固有に割り当てられる識別子であるオペレータＩＤと、格納する。
【００２７】
図３は、入庫予定ファイル３０４Ｂのデータ構成を示す図である。図３に示すように、入庫予定ファイル３０４Ｂは、バッチコードと、製品コードと、入庫予定の個数と、を格納する。
【００２８】
図４は、出庫予定ファイル３０４Ｃのデータ構成を示す図である。図４に示すように、出庫予定ファイル３０４Ｃは、例えば患者ごとに固有に割り当てられる識別子である患者コードのような、物品４５２の使用対象を特定する識別子である管理ＩＤと、製品コードと、個数と、を格納する。
【００２９】
図５は、管理庫１の外観斜視図である。図５に示すように、管理庫１は金属のような堅牢な材質によって形成される外壁１０と、外壁１０と同様の材質によって形成されるドア１１と、ドア１１に設置される取手と、を備える。ドア１１は外壁１０に蝶番等の係止具によって開閉可能に係止される。
【００３０】
図６は、無線タグ１００と、リーダライタ２００の構成例を示すブロック図である。図６に示すように、無線タグ１００は、演算装置を含む無線タグ制御部１０１と、データを記憶する記憶部１０２と、無線タグ制御部１０１が生成した信号を変調する変調部１０３と、変調された信号を送信する無線タグアンテナ１０６と、無線タグアンテナ１０６によって受信した信号を復調する復調部１０４と、受信した電磁波から電力を生成する電力生成部１０５と、を備える。無線タグ制御部１０１は、記憶部１０２へのデータの書き込み及び記憶部１０２からのデータの読み出しを行うとともに、リーダライタ２００から受信したコマンドに従って動作し、応答信号をリーダライタ２００に返信する。
【００３１】
リーダライタ２００は、演算装置を含む演算部２０１Ａ及びデータを記憶する記憶部２０１Ｂを含むリーダライタ制御部２０１と、リーダライタ制御部２０１が生成した信号を変調する変調部２０５と、変調された信号を増幅する送信アンプ２０４と、信号の送出先を変更するサーキュレータ２０３と、無線タグ１００と電磁波によって信号を送受信するアンテナ２０２と、受信信号を増幅する受信アンプ２０６と、受信信号を復調する復調部２０７と、上位機種と接続するインターフェース（以下、Ｉ／Ｆ２０８という。）と、を備える。
【００３２】
リーダライタ制御部２０１は、Ｉ／Ｆ２０８を介して受信した管理ＰＣ３００からの指示に基づいて、無線タグ１００に送信する送信信号を生成する。また、リーダライタ制御部２０１は無線タグ１００から受信した受信信号を処理して管理ＰＣ３００に送信する。
【００３３】
図７は、制御部３０１によるメインプロセスの動作を示すフローチャートである。図７に示すように、ステップ７０１において、制御部３０１は、入庫処理が指示されたかを判定する。制御部３０１は、入庫処理が指示されたと判定した場合（ステップ７０１のＹ）、ステップ７０２に進み、入庫処理が指示されたと判定しない場合（ステップ７０１のＮ）、ステップ７０２に進む。
【００３４】
ステップ７０２において、制御部３０１は入庫処理を行い、ステップ７０１に戻る。
【００３５】
ステップ７０３において、制御部３０１は、出庫処理が指示されたかを判定する。制御部３０１は、出庫処理が指示されたと判定した場合（ステップ７０３のＹ）、ステップ７０４に進み、出庫処理が指示されたと判定しない場合（ステップ７０３のＮ）、ステップ７０５に進む。
【００３６】
ステップ７０４において、制御部３０１は出庫処理を行い、ステップ７０１に戻る。
【００３７】
ステップ７０５において、制御部３０１は、緊急出庫処理が指示されたかを判定する。制御部３０１は、緊急出庫処理が指示されたと判定した場合（ステップ７０５のＹ）、ステップ７０６に進み、緊急出庫処理が指示されたと判定しない場合（ステップ７０５のＮ）、ステップ７０７に進む。
【００３８】
ステップ７０６において、制御部３０１は緊急出庫処理を行い、ステップ７０１に戻る。ここで、緊急出庫処理は、時間がない場合に行われる処理であり、出庫データ及び入庫データの生成を行わずに入出庫を許可する処理である。制御部３０１は緊急出庫処理を行った場合、レポートを出力する。
【００３９】
ステップ７０７において、制御部３０１は、返却処理が指示されたかを判定する。制御部３０１は、返却処理が指示されたと判定した場合（ステップ７０７のＹ）、ステップ７０８に進み、返却処理が指示されたと判定しない場合（ステップ７０７のＮ）、ステップ７０９に進む。
【００４０】
ステップ７０８において、制御部３０１は返却処理を行い、ステップ７０１に戻る。
【００４１】
ステップ７０９において、制御部３０１は、在庫確認処理が指示されたかを判定する。制御部３０１は、在庫確認処理が指示されたと判定した場合（ステップ７０９のＹ）、ステップ７１０に進み、在庫確認処理が指示されたと判定しない場合（ステップ７０９のＮ）、ステップ７１１に進む。
【００４２】
ステップ７１０において、制御部３０１は在庫確認処理を行い、ステップ７０１に戻る。
【００４３】
ステップ７１１において、制御部３０１はエラー処理を行い、処理を終了する。
【００４４】
図８は、制御部３０１による入庫処理動作を示すフローチャートである。図８に示すように、ステップ８０１において、制御部３０１は、入出力部３０２から入庫情報を入力する。入庫情報には、バッチコード、製品コード、個数等の情報が含まれる。
【００４５】
ステップ８０２において、制御部３０１は入庫データを生成し、入庫予定ファイル３０４Ｂに格納する。
【００４６】
ステップ８０３において、制御部３０１は印刷指示があったかを判定する。制御部３０１は、印刷指示があったと判定した場合（ステップ８０３のＹ）、ステップ８０４に進み、印刷指示があったと判定しない場合（ステップ８０３のＮ）、ステップ８０５に進む。
【００４７】
ステップ８０４におおて、制御部３０１は無線タグプリンタ４１０に印刷指示を与え、無線タグプリンタ４１０は制御部３０１の印刷指示に基づいて無線タグラベル４５１を印刷するとともに、無線タグラベル４５１の無線タグ１００に所定の情報を書き込む。
【００４８】
ステップ８０５において、制御部３０１は開錠指示があった否かを判定する。制御部３０１は開錠指示があったと判定した場合（ステップ８０５のＹ）、ステップ８０６に進み、開錠指示がなかったと判定した場合（ステップ８０５のＮ）、ステップ８０５に戻る。
【００４９】
ステップ８０６において、制御部３０１は生体認証装置４３０の出力に基づいて、ユーザの認証が成功したかを判定する。制御部３０１は、認証に成功したと判定した場合（ステップ８０６のＹ）、ステップ８０７に進み、認証に成功したと判定しない場合（ステップ８０６のＮ）、処理を終了する。
【００５０】
ステップ８０７におおて、制御部３０１はドアロック２２２を開錠する。
【００５１】
ステップ８０８において、制御部３０１は、ドアセンサーの出力がＯＦＦ（ドア１１が開）からＯＮ（ドア１１が閉）に変わったかを判定する。制御部３０１は、ドアセンサーの出力がＯＦＦからＯＮに変わったと判定した場合（ステップ８０８のＹ）、ステップ８０９に進み、ドアセンサーの出力がＯＦＦからＯＮに変わったと判定しない場合（ステップ８０８のＮ）、ステップ８０８に戻る。
【００５２】
ステップ８０９において、制御部３０１はドアロック２２２を施錠し、管理庫１の内部の無線タグ１００を読み取る。
【００５３】
ステップ８１０において、制御部３０１は、管理庫１の内部に新たに増えた無線タグ１００と、在庫予定データとを比較し、在庫予定データとあっていた場合、すなわちデータマッチの場合（ステップ８１０のＹ）、ステップ８１１に進み、在庫予定データに対して過不足があった場合、すなわちデータマッチでない場合（ステップ８１０のＮ）、ステップ８０５に戻る。
【００５４】
ステップ８１１において、制御部３０１は在庫ファイル３０４Ａに新たに追加された入庫データによって更新し処理を抜ける。このタイミングにおいてバッチコード内の日時情報が更新され、入庫完了の日時がバッチコード内に格納される。
【００５５】
図９は、制御部３０１による出庫処理動作を示すフローチャートである。図９に示すように、ステップ９０１において、制御部３０１は入出力部３０２から出庫情報を入力する。出庫情報には、管理ＩＤ、製品コード、個数等の情報が含まれる。
【００５６】
ステップ９０２において、制御部３０１は出庫データを生成し、出庫予定ファイル３０４Ｃに格納する。
【００５７】
ステップ９０３において、制御部３０１は開錠指示があった否かを判定する。制御部３０１は開錠指示があったと判定した場合（ステップ９０３のＹ）、ステップ９０４に進み、開錠指示がなかったと判定した場合（ステップ９０３のＮ）、ステップ９０３に戻る。
【００５８】
ステップ９０４において、制御部３０１は生体認証装置４３０の出力に基づいて、ユーザの認証が成功したかを判定する。制御部３０１は、認証に成功したと判定した場合（ステップ９０４のＹ）、ステップ９０５に進み、認証に成功したと判定しない場合（ステップ９０４のＮ）、処理を終了する。
【００５９】
ステップ９０５において、制御部３０１はドアロック２２２を開錠する。
【００６０】
ステップ９０６において、制御部３０１は、ドアセンサーの出力がＯＦＦからＯＮに変わったかを判定する。制御部３０１は、ドアセンサーの出力がＯＦＦからＯＮに変わったと判定した場合（ステップ９０６のＹ）、ステップ９０７に進み、ドアセンサーの出力がＯＦＦからＯＮに変わったと判定しない場合（ステップ９０６のＮ）、ステップ９０６に戻る。
【００６１】
ステップ９０７において、制御部３０１はドアロック２２２を施錠し、管理庫１の内部の無線タグ１００を読み取る。
【００６２】
ステップ９０８において、制御部３０１は、管理庫１の内部に新たに減った無線タグ１００と、出庫予定データとを比較し、出庫予定データとあっていた場合、すなわちデータマッチの場合（ステップ９０８のＹ）、ステップ９０９に進み、出庫予定データに対して過不足があった場合、すなわちデータマッチでない場合（ステップ９０８のＮ）、ステップ９０３に戻る。
【００６３】
ステップ９０９において、制御部３０１は在庫ファイル３０４Ａに新たに減った出庫データによって更新し処理を抜ける。このタイミングにおいてバッチコード内の日時情報が更新され、出庫完了の日時がバッチコード内に格納される。
【００６４】
図１０は、制御部３０１による返却処理動作を示すフローチャートである。図１０に示すように、ステップ１００１において、制御部３０１はバーコードリーダ４２０から返却する物品に関する情報を入力する。返却する物品に関する情報には、製品コード、無線タグＩＤ等の情報が含まれる。
【００６５】
ステップ１００２において、制御部３０１は廃棄の指示があったかを判定する。制御部３０１は、廃棄の指示があったと判定した場合（ステップ１００２のＹ）、ステップ１０１０に進み、廃棄の指示があったと判定しない場合（ステップ１００２のＮ）、ステップ１００３に進む。
【００６６】
ステップ１００３において、制御部３０１は返却する物品に関する情報に基づいて返却データを生成し、記憶部３０４に格納する。
【００６７】
ステップ１００４において、制御部３０１は開錠指示があった否かを判定する。制御部３０１は開錠指示があったと判定した場合（ステップ１００４のＹ）、ステップ１００５に進み、開錠指示がなかったと判定した場合（ステップ１００４のＮ）、ステップ１００４に戻る。
【００６８】
ステップ１００５において、制御部３０１は生体認証装置４３０の出力に基づいて、ユーザの認証が成功したかを判定する。制御部３０１は、認証に成功したと判定した場合（ステップ１００５のＹ）、ステップ１００６に進み、認証に成功したと判定しない場合（ステップ１００５のＮ）、ステップ１００４に戻る。
【００６９】
ステップ１００６におおて、制御部３０１はドアロック２２２を開錠する。
【００７０】
ステップ１００７において、制御部３０１は、ドアセンサーの出力がＯＦＦからＯＮに変わったかを判定する。制御部３０１は、ドアセンサーの出力がＯＦＦからＯＮに変わったと判定した場合（ステップ１００７のＹ）、ステップ１００８に進み、ドアセンサーの出力がＯＦＦからＯＮに変わったと判定しない場合（ステップ１００７のＮ）、ステップ１００７に戻る。
【００７１】
ステップ１００８において、制御部３０１はドアロック２２２を施錠し、管理庫１の内部の無線タグ１００を読み取る。
【００７２】
ステップ１００９において、制御部３０１は、管理庫１の内部に戻った無線タグ１００と、返却データとを比較し、返却データとあっていた場合、すなわちデータマッチの場合（ステップ１００９のＹ）、ステップ１０１１に進み、返却データに対して過不足があった場合、すなわちデータマッチでない場合（ステップ１００９のＮ）、ステップ１００４に戻る。
【００７３】
ステップ１０１０において、制御部３０１は、物品を廃棄する旨の廃棄データを生成する。
【００７４】
ステップ１０１１において、制御部３０１は在庫ファイル３０４Ａに戻った旨を示す返却データ、又は廃棄データによって更新し処理を抜ける。このタイミングにおいてバッチコード内の日時情報が更新され、返却完了又は廃棄完了の日時がバッチコード内に格納される。
【００７５】
図１１は、入庫処理画面１１０１の例を示す図である。図１１に示すように、制御部３０１は入庫処理において入出力部３０２のディスプレイに入庫処理画面１１０１を表示する。
【００７６】
入庫処理画面１１０１は、開錠を指示する開錠ボタン１１０２と、在庫ファイル３０４Ａの更新を指示する入庫完了ボタン１１０４と、バッチコードを表示するバッチコード欄１１０５と、製品コードを表示する製品コード欄１１０６と、製品名称を表示する製品名称欄１１０７と、個数を入力する個数入力欄１１０８と、現在の在庫の表示を指示する現在庫表示ボタン１１０９と、在庫予定データの表示を指示する入庫予定表示ボタン１１１０と、無線タグラベル４５１の印刷を無線タグプリンタ４１０に指示するラベル印刷ボタン１１１１と、詳細欄１１１４の内容の一覧印刷を指示する一覧印刷ボタン１１１２と、詳細欄１１１４のレコードの削除を指示する削除ボタン１１１３と、詳細データを表示する詳細欄１１１４と、在庫ファイル３０４Ａの在庫予定データに対する実在庫の過不足の表示を指示する過不足表示ボタン１１１５と、を含む。
【００７７】
制御部３０１は、個数入力欄１１０８に個数が入力され、入庫予定表示ボタン１１１０が押下されたと判定すると、入力された個数分だけ在庫予定データを生成する。この際、無線タグＩＤであるシリアルＮｏ．は自動生成される。
【００７８】
図１２は、出庫処理画面１２０１の例を示す図である。図１２に示すように、制御部３０１は入庫処理において入出力部３０２のディスプレイに出庫処理画面１２０１を表示する。
【００７９】
出庫処理画面１２０１は、開錠を指示する開錠ボタン１２０２と、在庫ファイル３０４Ａの更新を指示する出庫完了ボタン１２０４と、バッチコードを表示するバッチコード欄１２０５と、製品コードを表示する製品コード欄１２０６と、製品名称を表示する製品名称欄１２０７と、個数を入力する個数入力欄１２０８と、現在の在庫の表示を指示する現在庫表示ボタン１２０９と、出庫予定データの表示を指示する出庫予定表示ボタン１２１０と、詳細欄１２１４の内容の一覧印刷を指示する一覧印刷ボタン１２１２と、詳細欄１２１４のレコードの削除を指示する削除ボタン１２１３と、詳細データを表示する詳細欄１２１４と、在庫ファイル３０４Ａの在庫予定データに対する実在庫の過不足の表示を指示する過不足表示ボタン１２１５と、を含む。
【００８０】
制御部３０１は、個数入力欄１２０８に個数が入力され、出庫予定表示ボタン１２１０が押下されたと判定すると、入力された個数分だけ出庫予定データを生成する。この際、無線タグＩＤであるシリアルＮｏ．は、何が出庫されるかが作業者次第のため、空欄の状態である。出庫後に、実際に出庫された無線タグＩＤが、出庫予定データに割り当てられる。
【００８１】
図１３は、返却処理画面１３０１の例を示す図である。図１３に示すように、制御部３０１は返却処理において入出力部３０２のディスプレイに返却処理画面１３０１を表示する。
【００８２】
返却処理画面１３０１は、施用済みである旨の登録を指示する施用済み登録ボタン１３０２と、開錠を指示する開錠ボタン１３０３と、在庫ファイル３０４Ａの更新を指示する入庫完了ボタン１３０５と、バッチコードを表示するバッチコード欄１３０６と、製品コードを表示する製品コード欄１３０７と、製品名称を表示する製品名称欄１３０８と、施用済み品に関するデータの表示を指示する施用済品表示ボタン１３０９と、未施用品に関するデータの表示を指示する未施用品表示ボタン１３１０と、現在の在庫の表示を指示する在庫表示ボタン１３１１と、在庫ファイル３０４Ａの在庫データに対する実在庫の過不足の表示を指示する過不足表示ボタン１３１２と、詳細欄１３１４のレコードの削除を指示する削除ボタン１３１３と、詳細データを表示する詳細欄１３１４と、を含む。
【００８３】
なお、緊急出庫処理は出庫予定データを生成せずに、直接出庫し、出庫後に出庫理由を別途格納する処理である。
【００８４】
以上述べたように、本実施形態の管理庫１は、外壁１０と、ドア１１と、ドア１１が開いている場合にＯＦＦを、ドア１１が閉じている場合にＯＮを、出力するドアセンサー２２１と、ドア１１の施錠／開錠を行うドアロック２２２と、外壁１０及びドア１１の内部に設けられるアンテナ２０２を有し、内部に収納されている無線タグ１００を読み取り、読み取った情報を出力するリーダライタ２００と、ドアセンサー２２１の出力がＯＦＦからＯＮに変化したと判定した場合、ドアロック２２２を施錠し、リーダライタ２００に無線タグ１００の読み取りを指示し、読み取った情報と予め入力された在庫予定データとが合致する場合、在庫データの更新を許可する制御部３０１を有する管理ＰＣ３００と、を備える。
【００８５】
従って、多品種の物品が多数かつ頻繁に出し入れされる業務において在庫と入出庫の履歴を容易に、かつ、スピーディーに管理することができる物品管理庫を提供することができるという効果がある。
【００８６】
また、管理庫１は、制御部３０１が、出庫データ及び入庫データの生成を行わずに入出庫を許可する緊急出庫処理を実行可能である。
【００８７】
従って、入出庫の予定のデータがある場合における正確かつ迅速な在庫管理作業を行うことができるとともに、入出庫の予定のデータがない場合であっても、さらに迅速な在庫管理作業を行うことができるという効果がある。
【符号の説明】
【００８８】
１  管理庫
１０  外壁
１１  ドア
１００  無線タグ
１０１  無線タグ制御部
１０２  記憶部
１０３  変調部
１０４  復調部
１０５  電力生成部
１０６  無線タグアンテナ
２００  リーダライタ
２０１  リーダライタ制御部
２０１Ａ  演算部
２０１Ｂ  記憶部
２０２  アンテナ
２０３  サーキュレータ
２０４  送信アンプ
２０５  変調部
２０６  受信アンプ
２０７  復調部
２２１  ドアセンサー
２２２  ドアロック
３００  管理ＰＣ
３０１  制御部
３０２  入出力部
３０３  通信部
３０４  記憶部
３０４Ａ  在庫ファイル
３０４Ｂ  入庫予定ファイル
３０４Ｃ  出庫予定ファイル
４１０  無線タグプリンタ
４２０  バーコードリーダ
４３０  生体認証装置
４５１  無線タグラベル
４５２  物品
１１０１  入庫処理画面
１１０２  開錠ボタン
１１０３  ボタン
１１０４  入庫完了ボタン
１１０５  バッチコード欄
１１０６  製品コード欄
１１０７  製品名称欄
１１０８  個数入力欄
１１０９  現在庫表示ボタン
１１１０  入庫予定表示ボタン
１１１１  ラベル印刷ボタン
１１１２  一覧印刷ボタン
１１１３  削除ボタン
１１１４  詳細欄
１１１５  過不足表示ボタン
１２０１  出庫処理画面
１２０２  開錠ボタン
１２０３  施錠・読み取りボタン
１２０４  出庫完了ボタン
１２０５  バッチコード欄
１２０６  製品コード欄
１２０７  製品名称欄
１２０８  個数入力欄
１２０９  現在庫表示ボタン
１２１０  出庫予定表示ボタン
１２１２  一覧印刷ボタン
１２１３  削除ボタン
１２１４  詳細欄
１２１５  過不足表示ボタン
１３０１  返却処理画面
１３０２  施用済み登録ボタン
１３０３  開錠ボタン
１３０４  施錠・読み取りボタン
１３０５  入庫完了ボタン
１３０６  バッチコード欄
１３０７  製品コード欄
１３０８  製品名称欄
１３０９  施用済品表示ボタン
１３１０  未施用品表示ボタン
１３１１  在庫表示ボタン
１３１２  過不足表示ボタン
１３１３  削除ボタン
１３１４  詳細欄
【図１】
2018035501.tif 000003
【図２】
2018035501.tif 000004
【図３】
2018035501.tif 000005
【図４】
2018035501.tif 000006
【図５】
2018035501.tif 000007
【図６】
2018035501.tif 000008
【図７】
2018035501.tif 000009
【図８】
2018035501.tif 000010
【図９】
2018035501.tif 000011
【図１０】
2018035501.tif 000012
【図１１】
2018035501.tif 000013
【図１２】
2018035501.tif 000014
【図１３】
2018035501.tif 000015